(57)【要約】      （修正有）【課題】優れた滑り防止性を有すると共にダブルラッセル地を不織布バッキングとを接合する必要がなく、剥離の恐れもない不織布バッキング及びその製造方法を提案すること。【解決手段】ループパイルを形成したラッセル編地１７であって、前記ループパイルがカットされているラッセル編地１７とそのラッセル編地上に形成した低融点繊維を含む繊維ウェブ１６とが絡合処理され、加熱処理することによって前記低融点繊維が溶融して前記繊維ウェブ１６の構成繊維相互並びに構成繊維とラッセル編地１７とが結合していることを特徴とする。【選択図】図１
2015198791.tif 000002
【特許請求の範囲】
【請求項１】
ループパイルを形成したラッセル編地であって、前記ループパイルがカットされているラッセル編地とそのラッセル編地上に形成した低融点繊維を含む繊維層とが絡合処理され、加熱処理することによって前記低融点繊維が溶融して前記繊維ウェブの構成繊維相互並びに構成繊維とラッセル編地とが結合していることを特徴とする不織布バッキング。
【請求項２】
ループパイルを形成したラッセル編地であって、前記ループパイルがカットされているラッセル編地の前記カット端が突出しない面側に低融点繊維を含む繊維ウェブを形成し、次いで、前記繊維ウェブ側から絡合処理を施すことによって前記繊維ウェブの低融点繊維とラッセル編地とを絡合させ、次いで、前記低融点繊維の溶融温度よりも高い温度で加熱処理を施すことで前記低融点繊維を溶融させて前記繊維ウェブの構成繊維相互並びに構成繊維とラッセル編地とを結合したことを特徴とする不織布バッキングの製造方法。
【発明の詳細な説明】
【技術分野】
【０００１】
本発明は、例えば自動車や列車、航空機などの乗り物の床面に敷設されるカーペットやマット、建物の室内や廊下の床面に敷設されるカーペットやマット、コンピュータのオペレーション用チェアマット、部屋の出入口に敷設される床面用マット、エレベータ内やエレベータホールの開閉扉前に敷設される床面用マット、玄関マットなどに適用されるカーペットに好適なズレ防止機能を有する不織布バッキングおよびその製造方法に関する。
【背景技術】
【０００２】
従来、例えば自動車の床面には、ファーストカーペットが敷設されており、他の内装材とトータルコーディネートされて車内の装飾性を高めている。ところが、このファーストカーペットは、床面に接着剤などで固定されており、ゴミや土などで汚れても容易に交換することができない。そこで、自動車床面のファーストカーペット上には、フロアマットが取り外し可能に装着され、ファーストカーペットが汚れるのを防いでいる。
【０００３】
ところが、自動車床面のファーストカーペットには、ニードルパンチ不織布が多く採用されており、その上にフロアマットを載せたとき、両者の接触面における摩擦係数は小さく滑りを生じることがあった。特に運転席側のフロアマットが前方に滑りが生じた場合、フロアマットがアクセルペダルやブレーキペダルに干渉し、重大な事故を引き起こす恐れがある。このような事情から、フロアマットには鳩目クリップが設けられ、車体側に取り付けたフックに引っ掛けて固定されるようになっている。さらに、使用者がフックにフロアマットを固定するのを忘れたり、固定が不十分だったりした場合を考慮して、フロアマット裏面の樹脂バッキングに滑り防止用突起を設けることで、万が一の為に万全を期していた。
【０００４】
近年、省エネの流れの中で車両についても軽量化が求められるようになり、その自動車用品としてのフロアマットについても軽量化が進み、樹脂バッキングからニードルパンチ不織布からなるバッキング材が採用されるようになった。このため、ファーストカーペットとフロアマットとの接触面における摩擦係数はさらに小さくなり、より確実な滑り防止性が求められるようになった。
【０００５】
このような要求に対し、表装材と表装材の裏面側に貼り合わせられたニードルパンチ不織布とで構成されているフロアマットにおいて、前記ニードルパンチ不織布の下側表面を部分的に加熱溶融させて繊維の溶融塊を形成することで表面を粗面化したものが提案されている。
【０００６】
しかし、繊維の溶融塊によって滑りを止めるようにしたフロアマットでは、確実な滑り防止性を得ることができなかった。そこで、より確実な滑り防止性を確保することができるフロアマットが提案されている（特許文献１参照）。このフロアマットは、マットを構成する不織布バッキング１の裏面側に、表面と裏面とを有し、これら表面と裏面とを接続するループ状経糸をカットしたダブルラッセル地２が接着によって一体化されていて、前記ループ状経糸のカット端３がファーストカーペットを係止する係止部として不織布バッキング１の裏面側に突出するようにしたものである。
【先行技術文献】
【特許文献】
【０００７】
【特許文献１】特開２００３−１０２６１１号公報
【発明の概要】
【発明が解決しようとする課題】
【０００８】
ところが、このフロアマットにあっては、図２に示すように表面と裏面とを接続するループ状経糸をカットしたダブルラッセル地２を不織布バッキング１の裏面側に接着などの手法によって接合一体化する必要があり、ラッセル地２と不織布バッキング１とが剥離する恐れもあった。
【０００９】
本発明は、このような事情に鑑みなされたものであり、優れた滑り防止性を有すると共にダブルラッセル地２を不織布バッキング１とを接合する必要がなく、剥離の恐れもない不織布バッキング及びその製造方法を提案することを目的とするものである。
【課題を解決するための手段】
【００１０】
上記目的を達成するため、請求項１記載の発明は、ループパイルを形成したラッセル編地であって、前記ループパイルがカットされているラッセル編地とそのラッセル編地上に形成した低融点繊維を含む繊維ウェブとが絡合処理され、加熱処理することによって前記低融点繊維が溶融して前記繊維ウェブの構成繊維相互並びに構成繊維とラッセル編地とが結合していることを特徴とする不織布バッキングをその要旨とした。
【００１１】
請求項２記載の発明は、ループパイルを形成したラッセル編地であって、前記ループパイルがカットされているラッセル編地の前記カット端が突出しない面側に低融点繊維を含む繊維ウェブを形成し、次いで、前記繊維ウェブ側から絡合処理を施すことによって前記繊維ウェブの低融点繊維とラッセル編地とを絡合させ、次いで、前記低融点繊維の溶融温度よりも高い温度で加熱処理を施すことで前記低融点繊維を溶融させて前記繊維ウェブの構成繊維相互並びに構成繊維とラッセル編地とを結合したことを特徴とする不織布バッキングの製造方法をその要旨とした。
【発明の効果】
【００１２】
本発明の不織布バッキングにあっては、ラッセル編地から突出するループパイルのカット端がファーストカーペット内に入り込んでこれを係止する係止部として機能し、優れた滑り防止性を有する。また、この不織布バッキングは、ラッセル編地上に形成した繊維ウェブに含まれる低融点繊維が絡合処理によってラッセル編地と絡み合い、加熱処理によって前記低融点繊維が溶融して前記繊維ウェブの構成繊維相互並びに構成繊維とラッセル編地とが結合していることから、不織布の製造過程でラッセル編地との接合一体化ができ、しかも剥離の恐れもない。
【図面の簡単な説明】
【００１３】
【図１】本発明の不織布バッキングを備えたフロアマットを示す要部拡大断面図。
【図２】従来の滑り防止機能を備えた不織布バッキングを示す要部拡大断面図。
【発明を実施するための最良の形態】
【００１４】
以下、本発明の不織布バッキング及びその製造方法について、図面に示した自動車用フロアマットの不織布バッキングに関する実施形態に従ってさらに詳しく説明する。
【００１５】
図１は、請求項１〜４並びに請求項１３及び１５に記載の発明の一実施形態を示すものであり、表面繊維基材１２の裏側に不織布バッキング１５を設けた自動車用フロアマット１１を示すものである。表面繊維基材１２は、ウィルトンカーペット、タフテッドカーペット、ニードルパンチカーペット、段通などフロアマット１１表面の意匠性を付与する層である。この表面繊維基材１２の構造、素材などは特に限定されないが、図１に示す表面繊維基材１２は、不織布、紙、布、フェルトあるいはこれらの複合物からなる基布１３にパイル糸１４を所定のボリュームで略Ｕ字状となるように打ち込んだものである。尚、表面繊維基材１２は、ニードルパンチカーペットのように、パイル糸１３を打ち込まない基布のみからなるものであっても良い。また、図１に示す表面繊維基材１２には、パイル糸１３の抜け止めのために目地止め層（図示しない）が設けられている。
【００１６】
不織布バッキング１５は、ループパイルを形成したラッセル編地１７であって、前記ループパイルがカットされているラッセル編地と、そのラッセル編地１７上に形成した低融点繊維を含む繊維ウェブ１６とを絡合処理することにより、繊維ウェブ１６の低融点繊維をラッセル編地１７に絡み合わせ、この状態で加熱して低融点繊維を熱溶融させることにより、繊維ウェブ１６の構成繊維相互並びに構成繊維とラッセル編地１７とを結合させたものである。
【００１７】
ループパイルを形成したラッセル編地１７としては、経糸である鎖編糸と緯糸である挿入糸とで構成されるものであるならば特に限定されず、好ましくは表面と裏面とを接続するループ状経糸をカットしたダブルラッセル編地などを揚げることができる。
【００１８】
ラッセル編地１７上に形成される低融点繊維を含む繊維ウェブ１６の構成繊維としては、例えばポリプロピレンやポリエチレンなどのポリオレフィン系繊維、ポリエチレンテレフタレートなどのポリエステル系繊維、ナイロン６、ナイロン６６などのポリアミド系繊維、ポリアクリロニトリルなどのアクリル系繊維、或いはポリビニルアルコール系繊維なごの合成繊維、レーヨンなどの半合成繊維、綿、麻などの天然繊維から選ばれる１種若しくは２種以上であって、その繊度が好ましくは１〜２０デシテックスであるものが好ましく用いることができる。
【００１９】
この不織布バッキング１５を構成する構成繊維中には低融点繊維が含まれている。低融点繊維としては特に限定されないが、例えば他の繊維よりも好ましくはその融点が２０℃以上低く、他の繊維を熱接着することのできる単一の成分からなる全溶融型繊維や低融点成分を繊維表面に有する芯鞘型やサイドバイサイド型等の複合繊維を挙げることができる。特に複合繊維を採用する場合、高融点成分の融点と低融点成分の融点との差が１５℃以上であることが好ましく、その高融点成分／低融点成分の組み合わせとしては、ポリエステル／ポリオレフィン、高融点ポリエステル／低融点ポリエステル、ポリアミド／ポリオレフィン、高融点ポリアミド／低融点ポリアミド、ポリプロピレン／ポリエチレン、高融点ポリエチレン／低融点ポリエチレン等が挙げられる。
【００２０】
尚、低融点繊維の熱溶融物は、不織布バッキングの遮音層を構成することから、その量を増やすことにより、遮音性能を高めることができ、この場合、吸音性と遮音性とを兼備した不織布バッキングを得ることができる。
【００２１】
また、図２に示す形態の場合、不織布バッキング１５の一方面側には支持層１８が設けられており、該フロアマット１１に荷重が加わったとき、不織布バッキング１５の裏面側から突出するラッセル編地１７のループパイルのカット端の基部を支持層１８が弾性変形して支持し、その支持層１８の復元力により前記ラッセル編地１７のループパイルのカット端が床面（ファーストカーペット）内部に入り込むことになることから、その作用は荷重が加わる部分の周囲にまで拡がり、また、荷重が加わる方向や大きさによっても、フロアマット１１に加わる荷重で弾性変形した支持層１８の復元力によってラッセル編地１７のループパイルのカット端が確実に床面（カーペット）内部に入り込み、より効果的にフロアマット１１の滑りを防止することができる。支持層１８としては発泡樹脂層などを挙げることができる。
【００２２】
図１に示す支持層１８としては特に限定されないが、発泡樹脂（好ましくは通気のある連続気泡構造）から構成されたものが好ましい。例えばポリウレタン、ポリエチレン、ポリプロピレン、ポリビニルアルコール、ポリ塩化ビニル、スチレン−ブタジエン−アクリロニトリル共重合体、エチレン−酢ビ共重合体、ポリメタクリル酸メチル、フェノール、ユリアなどを素材とし、これらを熱分解型発泡剤を用いた気泡発生手段や揮発性溶剤を用いた気泡発生手段、あるいは高圧下で不活性ガスを高分子中に吸収させ、常圧で発泡させる気泡発生手段など従来公知の気泡発生手段を用いて発泡成形することにより得られるものを挙げることができる。図示の例では、発泡ポリウレタンを用いた支持層１８を採用した。
【００２３】
次に、上述の不織布バッキングの製造方法について説明する。本発明の不織布バッキングは、例えば移動するメッシュ上にループパイルを形成したラッセル編地であって、前記ループパイルがカットされている側面を下側にして載置し、このラッセル編地上に不織布バッキング１２を構成する低融点繊維を含む構成繊維を投入して繊維ウェブを形成する。次いで、この繊維ウェブ側からニードルパンチ処理を施すことにより、各繊維ウェブの構成繊維相互並びに繊維ウェブとラッセル編地とを絡合させる。
【００２４】
この後、不織布バッキング１５をヒーターによって、低融点繊維が溶融する温度よりも高い温度で加熱することで、低融点繊維の一部を溶融させ、その溶融物によって繊維ウェブの構成繊維相互並びに繊維ウェブとラッセル編地とを結合させる。
【００２５】
尚、ニードルパンチ処理は、余りに処理を進めると繊維ウェブの構成繊維がラッセル編地のループパイルのカット端側面に飛び出て、カット端を覆うことになり、滑り防止性が損なわれることになる。一方、ニードルパンチ処理が不十分な場合、繊維ウェブの構成繊維のラッセル編地への絡みが弱くなり、剥離の問題が生じることになる。尚、絡合処理はニードルパンチ処理に限らず、水流絡合などの手法を用いる事もできる。
【００２６】
本発明の不織布バッキングは、有機減衰性フィラー、フタロシアニン化合物、ヨウ素系抗菌剤、金属イオン及び縮合タンニンのゲル化物から選ばれる少なくとも１種の機能性フィラー１９を含む形態を採ることができる。有機減衰性フィラーは、音、振動、電磁波、衝撃等のエネルギーが当たると回転する双極子（ダイポール）と呼ばれる極（正負の偏り）を持った物質であり、この物質に音、振動、電磁波等のエネルギーが当たると双極子が回転し、熱エネルギーへと変換されてエネルギーの減衰がなされるようになっている。そのような作用を持つ有機減衰フィラーとしては、ｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、および４，４’−チオビス（３−メチル−６−ｔｅｒｔ−ブチルフェノール）から選択される１種もしくは２種以上の化合物を挙げることができる。
【００２７】
フタロシアニン化合物としては、具体的には下記式に示す金属フタロシアニン化合物又はその誘導体（式中の金属Ｍは、Ｆｅ、Ｃｏ、Ｍｎ、Ｔｉ、Ｖ、Ｎｉ、Ｃｕ、Ｚｎ、Ｍｏ、Ｗ、Ｏｓから選択される金属である。から選ばれる１種若しくは２種以上を挙げることができる。
【００２８】
【化１】
2015198791.tif 000003
【００２９】
ヨウ素系抗菌剤としては、ヨウ素を担体に担持、吸蔵させて複合化したヨードホール、あるいは前記ヨードホールをゲスト分子として、これをホスト分子に包接させたヨウ素包接体、１−（ジヨードメチルスルホニル）−４−メチルベンゼン及び３−ヨード−２−プロピニルブチルカーボネートからなるヨウ素系抗菌剤を挙げることができる。特に１−（ジヨードメチルスルホニル）−４−メチルベンゼン及び３−ヨード−２−プロピニルブチルカーボネートからなるヨウ素系抗菌剤は、細菌やウイルスを直ぐに死滅させるのではなく、細胞壁のみを破壊してダメージを与えることで、細菌やウイルスから警報フェロモンを放出させ、周囲の細菌やウイルスを退散させるというメカニズムで抗菌、抗ウイルス性が発揮されるようになっている。
【００３０】
金属イオンとしては、銀や銅などの金属を含む金属繊維を用いる態様を挙げることができる。金属繊維からは銀や銅などの金属イオンが放出されるため、この金属イオンにより優れた抗菌、抗ウイルス性が発揮されることになる。
【００３１】
縮合タンニンのゲル化物としては、柿渋、ケブラコタンニン、ワットルタンニン、マングローブタンニン、スプルースタンニン、ガンビールタンニン、アカカテキン、カシワ樹皮タンニン等の縮合型タンニンを用い、これにアルデヒド水溶液を作用させてゲル化させたもの、縮合型タンニンにアンモニア水を作用させてゲル化させたもの、さらには縮合型タンニンにアンモニア水を作用させて溶解させた後に、アルデヒド水溶液を作用させてゲル化させたものなどを挙げることができる。この場合、不織布バッキングを構成する構成繊維をアンモニア水中に混合しておき、繊維表面及び繊維間上で縮合型タンニンをゲル化させ、繊維表面及び繊維間に縮合型タンニンのゲル化物を固定する方法を採ることもできる。
【００３２】
尚、本発明の不織布バッキングをフロアマットに適用した場合であって、該不織布バッキングの内側に支持層１８（好ましくは通気のある連続気泡構造を持つ発泡樹脂層）を設ける場合、その支持層１８中に有機減衰性フィラー、フタロシアニン化合物、ヨウ素系抗菌剤、金属イオン及び縮合タンニンのゲル化物から選ばれる少なくとも１種を含ませることができる。このような形態とすることで、マット内部のクリーニングが行き届かず、ダニや細菌の繁殖の温床となり易い箇所にフタロシアニン化合物、ヨウ素系抗菌剤、金属イオン及び縮合タンニンのゲル化物などの抗菌成分を存在させることができるので、これらの抗菌成分のアレルゲン低減効果、抗ウイルス性、抗菌及び消臭効果を効果的に発揮させることができる。また、優れたエネルギー減衰効果を得ることができる。
【００３３】
また、本発明の不織布バッキングを敷物に適用する際、表面繊維基材１２裏面の目地止め層中に有機減衰性フィラー、フタロシアニン化合物、ヨウ素系抗菌剤、金属イオン及び縮合タンニンのゲル化物から選ばれる少なくとも１種を含ませることもできる。この場合も、マット内部のクリーニングが行き届かず、ダニや細菌の繁殖の温床となり易い箇所にこれらの抗菌成分を存在させることができるので、アレルゲン低減効果、抗ウイルス性、抗菌及び消臭効果を効果的に発揮させることができる。また、優れたエネルギー減衰効果を得ることができる。
【００３４】
尚、本発明の敷物用不織布バッキングには、さらに別の抗菌剤や抗アレルゲン剤を必要に応じて適宜使用することができる。また、本発明では、不織布バッキングやフロアマットにこれら有機減衰性フィラー、フタロシアニン化合物、ヨウ素系抗菌剤、金属イオン及び縮合タンニンのゲル化物を適用する態様を述べたが、有機減衰性フィラー、フタロシアニン化合物、ヨウ素系抗菌剤、金属イオン及び縮合タンニンのゲル化物は、繊維に練り込んだり、バインダーを介して付着させたりして抗菌、抗アレルゲン、抗ウイルス性及びエネルギー変換能を有する繊維としたり、樹脂やガラス中に配合することで抗菌、抗アレルゲン、抗ウイルス性及びエネルギー変換能を有する樹脂成形物やガラス成形物とすることができる。具体的には自動車の座席シート、ハンドル、ヘッドレスト、ウインドウ、住宅の壁紙、床材、天井材、窓ガラスなどに適用できる。
【００３５】
尚、本発明は、特許請求の範囲に記載された範囲で自由に変更することができる。
【符号の説明】
【００３６】
１５・・・不織布バッキング
１２・・・表面繊維基材
１４・・・パイル
１７・・・ラッセル編地
【図１】
2015198791.tif 000004
【図２】
2015198791.tif 000005